【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
以下を含む、クライアント・デバイスとターゲット・デバイスとの間の安全通信リンクによるオーディオ・ビデオ通信を提供するためのシステム：
（i）通信ネットワークに接続されるように、かつ（ii）複数の登録されたユーザのデバイスのネットワーク・アドレスを記憶するように構成されているサービス・システムであって、（a）クライアント・デバイスにより生成された問合せに基づいて、および（b）該問合せに応答して、ターゲット・デバイスがクライアント・デバイスとの安全通信リンク接続を受け入れるとのサービス・システムによる決定に基づいて、クライアント・デバイスとターゲット・デバイスとの間の安全通信リンクが確立された後に、クライアント・デバイスとターゲット・デバイスとの間のオーディオ・ビデオ通信を実行するためのアプリケーション・プログラムが、登録されたユーザのデバイスそれぞれに提供される、サービス・システム。
【請求項２】
クライアント・デバイスが電話である、請求項1記載のシステム。
【請求項３】
安全通信リンクが広帯域接続である、請求項1記載のシステム。
【請求項４】
安全通信リンクが変調伝送リンクである、請求項1記載のシステム。
【請求項５】
安全通信リンクが、FDM 、TDM、およびCDMAのうち少なくとも1つをサポートする、請求項1記載のシステム。
【請求項６】
安全通信リンクがTCP/IPプロトコルをサポートする、請求項1記載のシステム。
【請求項７】
サービス・システムが、複数の登録されたユーザのデバイスのネットワーク・アドレスに対応する複数のドメイン名を記憶するように構成されている、請求項1記載のシステム。
【請求項８】
複数のドメイン名が少なくとも1つのトップレベル・ドメイン名を含む、請求項7記載のシステム。
【請求項９】
トップレベル・ドメイン名が非標準トップレベル・ドメイン名である、請求項8記載のシステム。
【請求項１０】
非標準トップレベル・ドメイン名が.scom、.sorg、.snet、.sgov、.sedu、.smil、および.sintのうちの1つである、請求項9記載のシステム。
【請求項１１】
ネットワーク・アドレスが、登録されたユーザのクライアント・デバイスのIPアドレスに対応する、請求項1記載のシステム。
【請求項１２】
サービス・システムが、問合せを認証するように構成されている、請求項1記載のシステム。
【請求項１３】
修正されたDNSサーバ上でのIPアドレス参照において識別されたターゲット・デバイスに対応するアドレス要求に基づいて、ターゲット・デバイスが安全通信リンクを確立するのに適したデバイスであると該修正されたDNSサーバにより判定された場合にのみ、安全通信リンクが確立可能である、請求項1記載のシステム。
【請求項１４】
安全通信リンクが仮想専用ネットワーク・リンクである、請求項1記載のシステム。
【請求項１５】
アドレス要求が安全ドメイン名を含む、請求項1記載のシステム。
【請求項１６】
アドレス要求が安全ドメイン名を含み、かつ、DNS参照テーブル内で識別されたターゲット・デバイスに対応する固有の安全ドメイン名に基づいて、ターゲット・デバイスが安全通信リンクを確立するのに適したデバイスであるとプロキシ・モジュールにより判定された場合に、安全通信リンクが作成可能である、請求項1記載のシステム。
【請求項１７】
ターゲット・デバイスが安全ウェブサイトである、請求項1記載のシステム。
【請求項１８】
ターゲット・デバイスが電話である、請求項1記載のシステム。
【請求項１９】
サービス・システムが、通信ネットワークを通して仮想専用ネットワークに接続可能である、請求項1記載のシステム。
【請求項２０】
仮想専用ネットワークが、第1のデバイスと第2のデバイスとの間で送信されるパケット内のネットワーク・アドレスを擬似乱数的に変化させるのに用いられるネットワーク・アドレス・ホッピング方式に基づく、請求項19記載のシステム。
【請求項２１】
仮想専用ネットワークが、各データ・パケットのヘッダ内のディスクリミネータ・フィールドと、デバイスのために維持されている有効なディスクリミネータ・フィールドのテーブルとの比較に基づく、請求項19記載のシステム。
【請求項２２】
サービス・システムが、問合せに応答して、複数のドメイン名および対応するネットワーク・アドレスから、1つのドメイン名に対応するネットワーク・アドレスを提供するように構成されている、請求項1記載のシステム。
【請求項２３】
サービス・システムが、（i）ターゲット・デバイスに関連付けられたネットワーク・アドレスを要求する、クライアント・デバイスから開始された問合せを受信するように、（ii）ターゲット・デバイスに関連付けられたネットワーク・アドレスを提供するように、かつ（iii）クライアント・デバイスとターゲット・デバイスの間の安全通信リンクの確立を容易にするように構成されている、請求項1記載のシステム。
【請求項２４】
サービス・システムが、複数の登録されたユーザのデバイスのドメイン名および対応するネットワーク・アドレスを記憶するように、かつ、該サービス・システムが、該記憶されたドメイン名およびネットワーク・アドレスに対応する登録されたユーザのデバイスそれぞれに対する安全通信リンクの確立をサポートしている旨の表示を提供するように、さらに構成されている、請求項1記載のシステム。
【請求項２５】
安全通信リンクが複数のサービスをサポートすることができる、請求項1記載のシステム。
【請求項２６】
複数のサービスが、複数の通信プロトコル、複数の他のアプリケーション・プログラム、マルチセッション、またはこれらの組み合わせを含む、請求項25記載のシステム。
【請求項２７】
複数の他のアプリケーション・プログラムが、eメール、文書処理プログラム、およびテレフォニーのうち少なくとも1つを含む、請求項26記載のシステム。
【請求項２８】
以下の段階を含む、クライアント・デバイスとターゲット・デバイスとの間の安全通信リンクによるオーディオ・ビデオ通信を提供する方法：
複数の登録されたユーザのデバイスのネットワーク・アドレスをサービス・システムで記憶する段階であって、クライアント・デバイスとターゲット・デバイスとの間の安全通信リンクが確立された後にクライアント・デバイスとターゲット・デバイスとの間のオーディオ・ビデオ通信を実行するためのアプリケーション・プログラムが、登録されたユーザのデバイスそれぞれに提供される、段階；
クライアント・デバイスによって生成された問合せを受信する段階；および
該問合せに応答して、ターゲット・デバイスがクライアント・デバイスとの安全通信リンク接続を受け入れることを決定する段階。
【請求項２９】
クライアント・デバイスによって生成された問合せを受信する段階が、電話からの問合せを受信することを含む、請求項28記載の方法。
【請求項３０】
安全通信リンクが広帯域接続である、請求項28記載の方法。
【請求項３１】
安全通信リンクが変調伝送リンクである、請求項28記載の方法。
【請求項３２】
安全通信リンクが、FDM 、TDM、およびCDMAのうち少なくとも1つをサポートする、請求項28記載の方法。
【請求項３３】
安全通信リンクがTCP/IPプロトコルをサポートする、請求項28記載の方法。
【請求項３４】
記憶する段階が、登録されたユーザのデバイスのネットワーク・アドレスに対応する複数のドメイン名を記憶することを含む、請求項28記載の方法。
【請求項３５】
複数のドメイン名が少なくとも1つのトップレベル・ドメイン名を含む、請求項34記載の方法。
【請求項３６】
トップレベル・ドメイン名が非標準トップレベル・ドメイン名である、請求項35記載の方法。
【請求項３７】
非標準トップレベル・ドメイン名が.scom、.sorg、.snet、.sgov、.sedu、.smil、および.sintのうちの1つである、請求項36記載の方法。
【請求項３８】
ネットワーク・アドレスが、登録されたユーザのクライアント・デバイスのIPアドレスに対応する、請求項28記載の方法。
【請求項３９】
決定する段階が、サービス・システムに記憶された複数の登録されたユーザのデバイスのネットワーク・アドレスにクライアント・デバイスのネットワーク・アドレスが含まれていることを判定した後に、問合せを認証する段階を含む、請求項28記載の方法。
【請求項４０】
決定する段階が、修正されたDNSサーバによって実行され 、該修正されたDNSサーバ上でのIPアドレス参照において識別されたターゲット・デバイスに対応するアドレス要求に基づいて、ターゲット・デバイスが安全通信リンクを確立するのに適したデバイスであると該修正されたDNSサーバにより判定された場合にのみ、安全通信リンクが確立可能である、請求項28記載の方法。
【請求項４１】
安全通信リンクが仮想専用ネットワーク・リンクである、請求項28記載の方法。
【請求項４２】
アドレス要求が安全ドメイン名を含む、請求項28記載の方法。
【請求項４３】
DNS参照テーブル内で識別されたターゲット・デバイスに対応する固有の安全ドメイン名に基づいて、ターゲット・デバイスが安全通信リンクを確立するのに適したデバイスであるとプロキシ・モジュールにより判定された場合に、安全通信リンクの確立を容易にする段階をさらに含む、請求項28記載の方法。
【請求項４４】
ターゲット・デバイスが安全ウェブサイトである、請求項28記載の方法。
【請求項４５】
ターゲット・デバイスが電話である、請求項28記載の方法。
【請求項４６】
通信ネットワークを通してサービス・システムを仮想専用ネットワークに接続することをさらに含む、請求項28記載の方法。
【請求項４７】
仮想専用ネットワークが、クライアント・デバイスとターゲット・デバイスとの間で送信されるパケット内のネットワーク・アドレスを擬似乱数的に変化させるのに用いられるネットワーク・アドレス・ホッピング方式に基づく、請求項46記載の方法。
【請求項４８】
仮想専用ネットワークが、各データ・パケットのヘッダ内のディスクリミネータ・フィールドと、デバイスのために維持されている有効なディスクリミネータ・フィールドのテーブルとの比較に基づく、請求項46記載の方法。
【請求項４９】
問合せに応答して、複数のドメイン名および対応するネットワーク・アドレスから、1つのドメイン名に対応するネットワーク・アドレスを提供することをさらに含む、請求項28記載の方法。
【請求項５０】
（i）ターゲット・デバイスに関連付けられたネットワーク・アドレスを要求する、クライアント・デバイスから開始された問合せを受信する段階、（ii）ターゲット・デバイスに関連付けられたネットワーク・アドレスを提供する段階、および（iii）クライアント・デバイスとターゲット・デバイスの間の安全通信リンクの確立を容易にする段階をさらに含む、請求項28記載の方法。
【請求項５１】
記憶する段階が、複数の登録されたユーザのデバイスのドメイン名および対応するネットワーク・アドレスを記憶すること、ならびに、問合せに応答して、記憶されたドメイン名およびネットワーク・アドレスに対応する登録されたユーザのデバイスそれぞれに対する安全通信リンクの確立をサービス・システムがサポートしている旨の表示を提供することを含む、請求項28記載の方法。
【請求項５２】
安全通信リンクが複数のサービスをサポートすることができる、請求項28記載の方法。
【請求項５３】
複数のサービスが、複数の通信プロトコル、複数の他のアプリケーション・プログラム、マルチセッション、またはこれらの組み合わせを含む、請求項52記載の方法。
【請求項５４】
複数の他のアプリケーション・プログラムが、eメール、文書処理プログラム、およびテレフォニーのうち少なくとも1つを含む、請求項53記載の方法。